【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
ａ．ディジタル制御信号を提供するコントローラと、
ｂ．上記コントローラと電気的に通信し、上記コントローラからのディジタル制御信号に応じてアナログ出力信号を生成するディジタル・アナログ変換器（ＤＡＣ）と、
ｃ．上記ＤＡＣと電気的に通信し、上記ＤＡＣからの上記アナログ出力信号に応じて大電流範囲出力を生成する大電流ドライバと、
ｄ．上記大電流ドライバと電気的に通信する大電流モニタであって、上記大電流ドライバによって生成される電流を制御するために、上記大電流モニタによってモニタリングされる電流に応じて大電流ドライバのための電流フィードバック信号を生成し、上記コントローラによるモニタリングのために上記大電流ドライバから生成された電流に依存する出力を供給する大電流モニタと、
ｅ．対電極と電気的に通信し、上記大電流モニタの出力と電気的に通信するように接続可能な対電極接点と、
ｆ．作用電極と電気的に通信する作用電極接点であって、固定された安定な電位と電気的に通信するように接続可能であり、上記対電極及び上記作用電極の間の材料の電気化学分析を可能にする作用電極接点とを備える、
電気化学機器。
【請求項２】
上記大電流モニタは、第１の大電流範囲における電流をモニタリングする第１の大電流範囲モニタリング回路と、第２の大電流範囲における電流をモニタリングする第２の大電流範囲モニタリング回路とを含む、
請求項１記載の機器。
【請求項３】
上記大電流モニタは、
第１の大電流範囲における電流をモニタリングする第１の大電流範囲モニタリング回路と、
第２の大電流範囲における電流をモニタリングする第２の大電流範囲モニタリング回路と、
上記対電極接点と電気的に通信するように、及び通信しないように、上記第１の大電流範囲モニタリング回路を電気的に接続する第１の大電流モニタスイッチと、
上記対電極接点と電気的に通信するように、及び通信しないように、上記第２の大電流範囲モニタリング回路を電気的に接続する第２の大電流モニタスイッチとを含む、
請求項１記載の機器。
【請求項４】
基準電極と電気的に通信し、上記材料と通信する上記作用電極及び上記対電極に対して位置決めするための基準電極接点と、
上記基準電極接点と電気的に通信するバッファであって、上記基準電極接点における電圧を検出し、上記基準電極接点における電圧に依存する出力であって、上記コントローラによるモニタリングのために上記基準電極接点からバッファリングされる出力を供給し、上記基準電極接点における電圧を制御するように上記大電流ドライバによって生成される出力を制御するために上記大電流ドライバのためのフィードバック信号を提供するバッファとを含む、
請求項１記載の機器。
【請求項５】
上記コントローラと電気的に通信するフィードバックアナログマルチプレクサであって、さらに、上記大電流モニタと電気的に通信して上記大電流モニタから上記フィードバック信号を受信し、上記バッファと電気的に通信して上記バッファから上記フィードバック信号を受信し、上記コントローラの制御下で、上記フィードバックアナログマルチプレクサによって上記フィードバック信号のうちのどちらが上記大電流ドライバに対して出力されるのかを切り換え可能に選択するフィードバックアナログマルチプレクサを含む、
請求項４記載の機器。
【請求項６】
上記コントローラは、大電流モードで動作する場合、上記大電流モニタからのフィードバック信号を上記大電流ドライバに供給し、電圧モードで動作する場合、上記バッファからのフィードバック信号を上記大電流ドライバに供給するように上記フィードバックアナログマルチプレクサを制御する、
請求項５記載の機器。
【請求項７】
上記大電流モニタは、第１の大電流範囲における電流をモニタリングする第１の大電流範囲モニタリング回路と、第２の大電流範囲における電流をモニタリングする第２の大電流範囲モニタリング回路とを含み、
上記第１の大電流範囲モニタリング回路は、上記フィードバックアナログマルチプレクサのための第１の大電流フィードバック信号を提供し、
上記第２の大電流範囲モニタリング回路は、上記フィードバックアナログマルチプレクサのための第２の大電流フィードバック信号を提供し、
上記フィードバックアナログマルチプレクサは、上記コントローラの制御下で、上記第１の大電流範囲で動作する場合、上記第１の大電流範囲モニタリング回路からの上記第１の大電流フィードバック信号を上記大電流ドライバに対して選択的に供給し、上記第２の大電流範囲で動作する場合、上記第２の大電流範囲モニタリング回路からの上記第２の大電流フィードバック信号を上記大電流ドライバに対して選択的に供給する、
請求項５記載の機器。
【請求項８】
上記第１の大電流範囲モニタリング回路は、上記大電流ドライバ及び上記対電極接点の間に直列に接続された第１のセンス抵抗と、上記第１のセンス抵抗の両端にわたって接続された第１の差動増幅器であって、上記第１のセンス抵抗に流れる電流によって生じた電圧を検出して上記第１の大電流フィードバック信号を生成する第１の差動増幅器とを含み、
上記第２の大電流範囲モニタリング回路は、上記大電流ドライバ及び上記対電極接点の間に直列に接続された第２のセンス抵抗と、上記第２のセンス抵抗の両端にわたって接続された第２の差動増幅器であって、上記第２のセンス抵抗に流れる電流によって生じた電圧を検出して上記第２の大電流フィードバック信号を生成する第２の差動増幅器とを含む、
請求項７記載の機器。
【請求項９】
上記第１及び第２の差動増幅器は計装増幅器を含む、
請求項８記載の機器。
【請求項１０】
上記コントローラと電気的に通信し、上記バッファ及び上記大電流モニタの出力と電気的に通信し、上記バッファ及び上記大電流モニタの出力信号を、上記コントローラへの供給のためにディジタル信号へ変換するアナログ・ディジタル変換器（ＡＤＣ）を含む、
請求項４記載の機器。
【請求項１１】
上記機器は、上記対電極接点と電気的に通信するように、及び通信しないように、上記大電流ドライバを切り換え可能に接続する大電流スイッチを含み、これにより、上記コントローラは、上記対電極接点と電気的に通信するように、及び通信しないように、上記大電流ドライバを切り換え可能に接続及び切断するように上記大電流スイッチを制御する、
請求項１記載の機器。
【請求項１２】
ａ．ディジタル制御信号を提供するコントローラと、
ｂ．上記コントローラと電気的に通信し、上記コントローラからのディジタル制御信号に応じてアナログ出力信号を生成するディジタル・アナログ変換器（ＤＡＣ）と、
ｃ．上記ＤＡＣと電気的に通信し、上記ＤＡＣからの上記アナログ出力信号に応じて小電流範囲出力を生成する小電流ドライバと、
ｄ．対電極と電気的に通信し、上記小電流ドライバの出力と電気的に通信するように接続可能な対電極接点と、
ｅ．作用電極と電気的に通信する作用電極接点であって、上記対電極及び上記作用電極の間の材料の電気化学分析を可能にする作用電極接点と、
ｆ．上記作用電極接点と電気的に通信するように接続可能な小電流モニタであって、上記作用電極接点における電流を検出し、上記コントローラによるモニタリングのために上記作用電極接点において検出された電流に依存する出力を供給し、上記対電極接点及び上記作用電極接点の間の電流を制御するように上記小電流ドライバの出力を制御するために上記小電流ドライバのためのフィードバック信号を提供する小電流モニタとを備え、
上記小電流モニタは、
ｉ．上記作用電極接点と電気的に通信するように接続可能な入力を有し、出力を有するモニタ増幅器と、
ｉｉ．上記モニタ増幅器の出力及び上記モニタ増幅器の入力の間に接続された複数のフィードバック抵抗からなるアレイと、
ｉｉｉ．上記コントローラと電気的に通信し、上記モニタ増幅器の出力及び入力の間で電気的に接続されたアレイにおける上記フィードバック抵抗のうちの少なくとも１つを選択して上記モニタ増幅器の出力を制御するモニタアナログマルチプレクサとを含む、
電気化学機器。
【請求項１３】
基準電極と電気的に通信し、上記材料と通信する上記作用電極及び上記対電極に対して位置決めするための基準電極接点と、
上記基準電極接点と電気的に通信するバッファであって、上記基準電極接点における電圧を検出し、上記基準電極接点における電圧に依存する出力であって、上記コントローラによるモニタリングのために上記基準電極接点からバッファリングされる出力を供給し、上記基準電極接点における電圧を制御するように上記小電流ドライバによって生成される出力を制御するために上記小電流ドライバのためのフィードバック信号を提供するバッファとを含む、
請求項１２記載の機器。
【請求項１４】
上記コントローラと電気的に通信するフィードバックアナログマルチプレクサであって、さらに、上記バッファと電気的に通信して上記バッファから上記フィードバック信号を受信し、上記小電流モニタと電気的に通信して上記小電流モニタから上記フィードバック信号を受信し、上記コントローラの制御下で、上記フィードバックアナログマルチプレクサによって上記フィードバック信号のうちのどちらが上記小電流ドライバに対して出力されるのかを切り換え可能に選択するフィードバックアナログマルチプレクサを含む、
請求項１３記載の機器。
【請求項１５】
上記コントローラは、小電流モードで動作する場合、上記小電流モニタからのフィードバック信号を上記小電流ドライバに供給し、電圧モードで動作する場合、上記バッファからのフィードバック信号を上記小電流ドライバに供給するように上記フィードバックアナログマルチプレクサを制御する、
請求項１４記載の機器。
【請求項１６】
上記モニタ増幅器は、上記モニタアナログマルチプレクサとの電気的な接続のために、上記アレイにおける１つのフィードバック抵抗の選択に依存する利得を有するトランスインピーダンス増幅器を含む、
請求項１５記載の機器。
【請求項１７】
上記コントローラと電気的に通信し、上記小電流モニタ及び上記バッファの出力と電気的に通信し、上記小電流モニタ及び上記バッファの出力信号を、上記コントローラへの供給のためにディジタル信号へ変換するアナログ・ディジタル変換器（ＡＤＣ）を含む、
請求項１３記載の機器。
【請求項１８】
ａ．ディジタル制御信号を生成するコントローラと、
ｂ．上記コントローラと電気的に通信し、上記コントローラからのディジタル制御信号に応じてアナログ出力信号を生成するディジタル・アナログ変換器（ＤＡＣ）と、
ｃ．上記ＤＡＣと電気的に通信し、上記ＤＡＣからの上記アナログ出力信号に応じて大電流範囲出力を生成する大電流ドライバと、
ｄ．上記大電流ドライバと電気的に通信する大電流モニタであって、上記大電流ドライバによって生成される電流を制御するために、上記大電流モニタによってモニタリングされる電流に応じて大電流ドライバのためのフィードバック信号を生成し、上記大電流ドライバから供給された電流に依存する出力を供給する大電流モニタと、
ｅ．対電極と電気的に通信し、上記大電流モニタの出力と電気的に通信するように接続可能な対電極接点と、
ｆ．作用電極と電気的に通信する作用電極接点であって、固定された安定な電位と電気的に接続可能であり、上記対電極及び上記作用電極の間の材料の電気化学分析を可能にする作用電極接点と、
ｇ．上記ＤＡＣと電気的に通信し、上記ＤＡＣからの上記アナログ出力信号に応じて小電流範囲出力を生成する小電流ドライバと、
ｈ．上記作用電極接点と電気的に通信するように接続可能な小電流モニタであって、上記作用電極接点における電流を検出し、上記コントローラによるモニタリングのために上記作用電極接点において検出された電流に依存する出力を供給し、上記対電極接点及び上記作用電極接点の間の電流を制御するように上記小電流ドライバの出力を制御するために上記小電流ドライバのためのフィードバック信号を提供する小電流モニタとを含み、
上記小電流モニタは、
ｉ．上記作用電極接点と電気的に通信するように接続可能な入力を有し、出力を有するモニタ増幅器と、
ｉｉ．上記モニタ増幅器の出力及び上記モニタ増幅器の入力の間に接続された複数のフィードバック抵抗からなるアレイと、
ｉｉｉ．上記コントローラと電気的に通信し、上記モニタ増幅器の出力及び入力の間で電気的に通信するアレイにおける上記フィードバック抵抗のうちの少なくとも１つを選択して上記モニタ増幅器の出力を制御するモニタアナログマルチプレクサとを含む、
電気化学機器。
【請求項１９】
上記大電流モニタは、第１の大電流範囲における電流をモニタリングする第１の大電流範囲モニタリング回路と、第２の大電流範囲における電流をモニタリングする第２の大電流範囲モニタリング回路とを含む、
請求項１８記載の機器。
【請求項２０】
基準電極と電気的に通信し、上記材料と通信する上記作用電極及び上記対電極に対して位置決めするための基準電極接点と、
上記基準電極接点と電気的に通信するバッファであって、上記基準電極接点における電圧を検出し、上記基準電極接点における電圧に依存する出力であって、上記コントローラによるモニタリングのために上記基準電極接点からバッファリングされる出力を供給し、上記基準電極接点における電圧を制御するように上記大電流ドライバによって生成される出力を制御するために、又は、上記基準電極接点における電圧を制御するように上記小電流ドライバによって生成される出力を制御するために、上記大電流ドライバ又は上記小電流ドライバにフィードバック信号を選択的に提供するバッファとを含む、
請求項１８記載の機器。
【請求項２１】
上記対電極接点と電気的に通信するように、及び通信しないように、上記大電流ドライバを切り換え可能に接続する大電流スイッチと、
上記対電極接点と電気的に通信するように、及び通信しないように、上記小電流ドライバを切り換え可能に接続する小電流スイッチとを含み、
これにより、上記対電極接点と電気的に通信するように上記大電流スイッチが上記大電流ドライバを電気的に接続するとき、上記小電流ドライバが上記対電極接点と電気的に通信しないように上記コントローラが上記小電流スイッチを切り換えさせるように、上記コントローラは上記大電流スイッチ及び上記小電流スイッチを制御する、
請求項２０記載の機器。
【請求項２２】
上記大電流モニタは、第１の大電流範囲における電流をモニタリングする第１の大電流範囲モニタリング回路と、第２の大電流範囲における電流をモニタリングする第２の大電流範囲モニタリング回路とを含み、
上記大電流スイッチは、
上記対電極接点と電気的に通信するように、及び通信しないように、上記第１の大電流範囲モニタリング回路を電気的に接続する第１の大電流モニタスイッチと、
上記対電極接点と電気的に通信するように、及び通信しないように、上記第２の大電流範囲モニタリング回路を電気的に接続する第２の大電流モニタスイッチとを含む、
請求項２１記載の機器。
【請求項２３】
上記コントローラの制御下で、一方の大電流モニタスイッチがオンされたとき、他方の大電流モニタスイッチがオフされるように、かつ、上記大電流モニタスイッチのうちの少なくとも１つがオンされたとき、上記小電流スイッチがオフされるように、上記コントローラは、上記第１及び第２の大電流モニタスイッチと電気的に通信する、
請求項２２記載の機器。
【請求項２４】
上記対電極接点と電気的に通信するように上記大電流ドライバが上記大電流スイッチによって切り換えられている場合、上記コントローラの制御下で、接地と電気的に通信するように、及び通信しないように、上記作用電極接点を電気的に接続する接地スイッチを含む、
請求項２１記載の機器。
【請求項２５】
上記コントローラの制御下で、上記小電流モニタと電気的に通信するように、及び通信しないように、上記作用電極接点を切り換え可能に接続する小電流モニタスイッチを含み、
上記対電極接点と電気的に通信するように上記小電流ドライバを接続するように上記小電流スイッチが動作する場合、上記小電流モニタスイッチは、上記小電流モニタと電気的に通信するように上記作用電極を電気的に接続する、
請求項２１記載の機器。
【請求項２６】
上記コントローラと電気的に通信するフィードバックアナログマルチプレクサであって、さらに、上記大電流モニタと電気的に通信して上記大電流モニタから上記フィードバック信号を受信し、上記バッファと電気的に通信して上記バッファから上記フィードバック信号を受信し、上記小電流モニタと電気的に通信して上記小電流モニタから上記フィードバック信号を受信し、上記コントローラの制御下で、上記フィードバックアナログマルチプレクサによって上記フィードバック信号のうちのどれが出力されるのかを切り換え可能に選択するフィードバックアナログマルチプレクサを含む、
請求項２０記載の機器。
【請求項２７】
上記コントローラは、大電流モードで動作する場合、上記大電流モニタからのフィードバック信号を上記大電流ドライバに供給し、小電流モードで動作する場合、上記小電流モニタからのフィードバック信号を上記小電流ドライバに供給し、電圧モードで動作する場合、上記バッファからのフィードバック信号を上記大電流ドライバ及び上記小電流ドライバのうちの少なくとも一方に供給するように上記フィードバックアナログマルチプレクサを制御する、
請求項２６記載の機器。
【請求項２８】
上記大電流モニタは、第１の大電流範囲における電流をモニタリングする第１の大電流範囲モニタリング回路と、第２の大電流範囲における電流をモニタリングする第２の大電流範囲モニタリング回路とを含み、
上記第１の大電流範囲モニタリング回路は、上記フィードバックアナログマルチプレクサのための第１の大電流フィードバック信号を提供し、
上記第２の大電流範囲モニタリング回路は、上記フィードバックアナログマルチプレクサのための第２の大電流フィードバック信号を供給し、
大電流モードで動作する場合、上記フィードバックアナログマルチプレクサは、上記コントローラの制御下で、上記第１の大電流範囲で動作する場合、上記第１の大電流範囲モニタリング回路からの上記第１の大電流フィードバック信号を上記大電流ドライバに対して選択的に供給し、上記第２の大電流範囲で動作する場合、上記第２の大電流範囲モニタリング回路からの上記第２の大電流フィードバック信号を上記大電流ドライバに対して選択的に供給する、
請求項２６記載の機器。
【請求項２９】
上記第１の大電流範囲モニタリング回路は、上記大電流ドライバ及び上記対電極接点の間に直列に接続された第１のセンス抵抗と、上記第１のセンス抵抗の両端にわたって接続された第１の計装増幅器であって、上記第１のセンス抵抗に流れる電流によって生じた電圧を検出して第１の大電流フィードバック信号を提供する第１の計装増幅器とを含み、
上記第２の大電流範囲モニタリング回路は、上記大電流ドライバ及び上記対電極接点の間に直列に接続された第２のセンス抵抗と、上記第２のセンス抵抗の両端にわたって接続された第２の計装増幅器であって、上記第２のセンス抵抗に流れる電流によって生じた電圧を検出して第２の大電流フィードバック信号を提供する第２の計装増幅器とを含む、
請求項２８記載の機器。
【請求項３０】
上記コントローラと電気的に通信し、上記小電流モニタ、上記バッファ、及び上記大電流モニタの出力と電気的に通信し、上記小電流モニタ、上記バッファ、及び上記大電流モニタの出力信号を、上記コントローラへの供給のためにディジタル信号へ変換するアナログ・ディジタル変換器（ＡＤＣ）を含む、
請求項２０記載の機器。
【手続補正２】
【補正対象書類名】明細書
【補正対象項目名】００１２
【補正方法】変更
【補正の内容】
【００１２】
機器は、小電流モニタ、バッファ、及び大電流モニタの出力と電気的に通信し、小電流モニタ、バッファ、及び大電流モニタの出力信号を、コントローラへの供給のためにディジタル信号へ変換するアナログ・ディジタル変換器（ＡＤＣ）を含んでもよい。
【手続補正３】
【補正対象書類名】明細書
【補正対象項目名】００４２
【補正方法】変更
【補正の内容】
【００４２】
増幅器ＴＩＡ１３２の出力は、トランスインピーダンス増幅器ＴＩＡ１３２の出力を反転し、そのような信号をＭＣＵ４０によるモニタリングに適したレベルへ増幅するために、例えば−１０の利得を有する負利得増幅器１３８を介して供給される。図１に示す小電流モニタリング回路１３０は、図３に示す増幅器ＴＩＡ１３２、負利得増幅器１３８、モニタマルチプレクサＭＵＸ２  １３４、及び複数の抵抗１３６からなるフィードバックアレイを含む。負利得増幅器１３８は、負利得増幅器１３８からの出力信号がＴＩＡ  ＯＵＴラインにおいてコンディショナ回路１１６を介してＡＤＣ回路１１９に供給され、インターフェースバス１１５を介してコントローラと通信するように、十分な利得を生じ、これにより、ＴＩＡ  ＩＮラインにおいて検出されてモニタリングされた電流の大きさをコントローラがモニタリングすることができる。コンディショナ回路１１６は、ＴＩＡ  ＯＵＴラインにおけるアナログ信号を適切なレベルに調整し、そのような信号をアナログ・ディジタル変換器ＡＤＣ−ＬＣ１１９への供給のためにバッファリングするように機能し、アナログ・ディジタル変換器ＡＤＣ−ＬＣ１１９は、コンディショナ回路１１６によって供給されたアナログ信号を、インターフェースバス１１５を介してコントローラ４０への供給のために適切なディジタル信号に変換するように機能する。ＴＩＡ  ＯＵＴラインにおける増幅器１３８から出力信号は、フィードバック信号としてフィードバックマルチプレクサＭＵＸ１００にも供給される。
【手続補正４】
【補正対象書類名】明細書
【補正対象項目名】００４３
【補正方法】変更
【補正の内容】
【００４３】
図３に示すように、バッファ回路１２０は、基準電極接点ＲＥＦに電気的に接続され、基準電極接点ＲＥＦにおいて検出された電圧を反映するＲＥＦ  ＯＵＴラインにおけるバッファリングされた出力信号を供給する。この点では、バッファ１２０は、ＲＥＦ  基準電極接点ＲＥＦにおいて検出された電圧を反映するバッファリングされたフィードバック信号を、ＯＵＴラインにおいて、フィードバックマルチプレクサＭＵＸ１００への入力として供給する。バッファ１２０は、基準電極接点ＲＥＦにおいて検出された電圧を反映するＲＥＦ  ＯＵＴラインにおける出力信号を供給し、コンディショナ回路１１８及びその後段のＡＤＣ回路ＡＤＣ−Ｖ  １１７を介してＭＣＵ４０へ供給する。コンディショナ回路１１８は、ＲＥＦ  ＯＵＴラインから供給されたアナログ信号を、ＡＤＣ変換器ＡＤＣ−Ｖのための適切なレベルに調整してバッファリングするように機能し、これにより、変換器ＡＤＣ−Ｖは、コンディショナ１１８からのアナログ信号を、バス１１５を介してコントローラ４０への供給のために適切なディジタル出力に変換するように機能し、これにより、コントローラは、基準電極接点ＲＥＦにおける電圧のレベルをモニタリングすることができる。フィードバックマルチプレクサＭＵＸ１００は、コントローラの制御下で、小電流モードで動作する場合、ＴＩＡ  ＯＵＴラインにおけるフィードバック信号が小電力増幅器ＬＰ  ＯＰＡ８２の反転端子において負のフィードバックとして切り換え可能に供給可能であるように動作する。電圧モードで動作する場合、コントローラＭＣＵ４０は、基準電極接点ＲＥＦにおいて検出された電圧を反映するバッファ１２０からのＲＥＦ  ＯＵＴラインにおけるフィードバック信号を、小電力増幅器ＬＰ  ＯＰＡ８２の反転端子への負のフィードバック信号として別個に供給するように、フィードバックマルチプレクサＭＵＸ１００を制御することができる。動作において、ＭＣＵ４０は、ＡＤＣ−ＬＣ１１９の出力を介して作用電極接点ＷＫＧから流れる電流をモニタリングし、ＡＤＣ−Ｖ１１７の出力を介して基準電極接点ＲＥＦにおける電圧をモニタリングするように機能してもよい。ここで、ＡＤＣ−Ｖ１１７及びＡＤＣ−ＬＣ１１９は、好ましくは、インターフェースバス１１５を介してコントローラＭＣＵ４０と通信する、高速かつ高精度の変換器である。
【手続補正５】
【補正対象書類名】明細書
【補正対象項目名】００５３
【補正方法】変更
【補正の内容】
【００５３】
小電流ドライバ８０（図１に示す）は、図９に示すようなチップＡＤ８２２及び関連付けられた回路によって提供されるような演算増幅器ＯＰＡ３の形態で、小電力演算増幅器ＬＰ  ＯＰＡ８２（図３に示す）を含む。ここで、図９を参照すると、設定制御回路６０からの制御信号ＣＴＲＬは、演算増幅器ＯＰＡ３  ８２のピン５における入力として供給される。演算増幅器ＯＰＡ３  ８２のピン７における出力は、図９に示すようなディジタル制御されたアナログリレーＲＥＬＡＹ５によって提供されるスイッチＳＷ−５への入力として供給される。マイクロコントローラ４１は、図４に示すようなマイクロコントローラ４１のピン３５と、図９に示すようなリレーＲＥＬＡＹ５のピン２との間に接続されたリレーラインＲＬＹ５を介して、スイッチＳＷ−５として動作するリレーＲＥＬＡＹ５と通信する。スイッチＳＷ−５の出力は、リレーＲＥＬＡＹ５のピン３において提供されて出力信号を生成し、出力信号は、小電流又は小電力動作モードにおける作用信号として、図１及び図３に示すような容器３５における対電極のための対電極接点ＣＮＴに供給される。従って、マイクロコントローラ４１は、リレーＲＥＬＡＹ５が起動される場合には小電力増幅器８２が対電極接点ＣＮＴに接続される一方、コントローラがＲＬＹ５ラインを介してリレーＲＥＬＡＹ５を開く場合には小電力増幅器ＬＰ  ＯＰＡ８２が対電極接点ＣＮＴから切断されるように、スイッチＳＷ−５を制御するように機能してもよい。
【手続補正６】
【補正対象書類名】明細書
【補正対象項目名】００５６
【補正方法】変更
【補正の内容】
【００５６】
図２に概略的に示すように、差動増幅器９３からの出力ＩＮＡ−１  ＯＵＴは、コントローラ４０によるモニタリングのために、コンディショナ回路１１２を介して供給可能であり、コンディショナ回路１１２は、アナログ・ディジタル変換器回路ＡＤＣ−ＨＣ１  １１１への供給のために、入力信号のレベルを調整し、そのような入力信号をバッファリングするように機能する。図１４により具体的に示すように、大電流モニタの第１のモニタリング回路からの出力は、出力信号ＩＮＡ１ｏｕｔとして、チップＡＤ８２２によって提供されたバッファＳＦＴ−ＢＵＦ−１及び関連付けられた回路の形態で提供されたコンディショナ回路１１２の入力に供給され、コンディショナ回路１１２は、入力信号ＩＮＡ１ｏｕｔをバッファリングし、この信号を、チップＬＴＣ１８６４Ａ＿ＳＯＩＣによって提供されたＡＤＣ回路チップＡＤＣ１及び関連付けられた回路によって提供されたアナログ・ディジタル変換器１１１への供給のために適切なレベルに調整し、アナログ・ディジタル変換器１１１は、マイクロコントローラ４１への供給のために、コンディショナ回路１１２からのアナログ入力をディジタル出力に変換するように機能する。ＡＤＣ回路チップＡＤＣ１は、図１及び図２に示すように、インターフェースバス１１５を介してマイクロコントローラ４１に接続され、インターフェースバス１１５は、図４に示すように、マイクロコントローラ４１のピン５８、５７、５６にそれぞれ接続されるクロックラインＳＣＬＫ、マスター入力／スレーブ出力ラインＭＩＳＯ、及び制御線ＡＤＣ１＿ＣＮＶを含む。